(57)【要約】【課題】吹出音の静粛化を実現可能にした酸素カプセル用吹出ノズルを提供する。【解決手段】使用者を収容可能であり大気圧よりも気圧が高い高気圧状態に維持された密閉空間を構成し空気及び高濃度酸素含有空気を人体に供給する酸素供給システムに用いられる酸素カプセル用吹出ノズルにおいて、酸素カプセルの内壁に設けられた供給口から空気及び高濃度酸素含有空気を酸素カプセル内に放出し得る複数の吹出孔を有する吹出部材２０を備え、吹出部材２０は硬質部材の表面に軟質部材を覆設して構成し、吹出孔は硬質部材からなる大径の内側孔２４と軟質部材からなる小径の外側孔２２とを重ね合わせた２段式孔構造からなる。【選択図】図３
0003143164.tif 000002
【実用新案登録請求の範囲】
【請求項１】
使用者を収容可能であり大気圧よりも気圧が高い高気圧状態に維持された密閉空間を構成し空気及び高濃度酸素含有空気を人体に供給する酸素供給システムに用いられる酸素カプセル用吹出ノズルにおいて、酸素カプセル本体の側壁に設けられた供給口から空気及び高濃度酸素含有空気を酸素カプセル内に放出し得る複数の吹出孔を有する吹出部材を備え、前記吹出部材は硬質部材の表面に軟質部材を覆設して構成し、前記吹出孔は前記硬質部材からなる大径の内側孔と前記軟質部材からなる小径の外側孔とを重ね合わせた２段式孔構造からなり、前記吹出孔から放出される空気及び高濃度酸素含有空気の吹出音を静粛にすることを特徴とする酸素カプセル用吹出ノズル。
【請求項２】
使用者を収容可能であり大気圧よりも気圧が高い高気圧状態に維持された密閉空間を構成し空気及び高濃度酸素含有空気を人体に供給する酸素供給システムに用いられる酸素カプセル用吹出ノズルにおいて、酸素カプセル本体の側壁に設けられた排出口から酸素カプセル内の空気を酸素カプセル外に放出し得る複数の吹出孔を有する吹出部材を備え、前記吹出部材は硬質部材の表面に軟質部材を覆設して構成し、前記吹出孔は前記硬質部材からなる大径の内側孔と前記軟質部材からなる小径の外側孔とを重ね合わせた２段式孔構造からなり、前記吹出孔から放出される酸素カプセル内の空気の吹出音を静粛にすることを特徴とする酸素カプセル用吹出ノズル。
【請求項３】
前記吹出部材は硬質パイプ部材の表面に薄手の軟質シート部材を覆設して構成し、前記硬質パイプ部材に直径３〜５ｍｍの内側孔を設けると共に前記軟質シート部材の前記内側孔に対向する位置に直径０．６ｍｍ〜１．０ｍｍの外側孔を設けて２段式孔構造からなる前記吹出孔を形成したことを特徴とする請求項１又は請求項２に記載の酸素カプセル用吹出ノズル。
【請求項４】
前記吹出孔の配置は、前記硬質パイプ部材の周方向に二列に分散し、各列における前記吹出孔間の間隔を６〜８ｍｍに設定すると共に前記硬質パイプ部材の長手方向における前記吹出孔間の間隔を８〜１０ｍｍとなるように設定したことを特徴とする請求項３に記載の酸素カプセル用吹出ノズル。
【考案の詳細な説明】
【技術分野】
【０００１】
本考案は、高気圧状態で空気及び高濃度酸素含有空気を人体に供給する酸素カプセルに関し、特に酸素カプセル用吹出ノズルに関するものである。
【背景技術】
【０００２】
従来から、高気圧状態で酸素を含有した酸素含有空気を人体に対して供給して、高気圧酸素処方を好適に実施するように構成した酸素供給システムが知られている。
近年においては、人が一人程度入れる内部空間を有するカプセルと当該カプセル内に空気及び高濃度酸素含有空気を供給する酸素供給装置とを具備した酸素供給システムが開発されており、心身のリラクゼーション効果，疲労回復，ダイエット効果，美容等の数々の効果を得る目的で一般家庭及びリラクゼーションやエステ等の店舗に導入されている。
【０００３】
酸素供給システムの稼働中、使用者が不快感を感じやすいと考えられるのが、酸素供給装置から供給された空気及び高濃度酸素含有空気がカプセルに形成された供給／排出口から放出される際の放出音である。すなわち、酸素供給装置から供給された空気及び高濃度酸素含有空気は、カプセルの内壁に設けられた一箇所の供給／排出口から例えば毎秒５０リットルという流量で吹き出される。そのため、供給／排出口から吹き出される際の放出音が使用者にとって耳障りなものとなることがある。そのような状況となると、使用者は酸素供給システムの稼働中を通して不快な環境を強いられてリラクゼーション状態を維持することができず、高気圧・高濃度酸素処方による種々の効果を十分に享受できないといったことも起こり得ると考えられる。
【０００４】
ここで、上記酸素供給システムに用いられる酸素カプセル用吹出ノズルについては、酸素供給システムの稼働中において酸素カプセル内の使用者に快適な環境を付与することを目的として、以下に示す先行技術が提案されている。
【０００５】
実用新案登録第３１０７６２５号公報には、使用者を収容可能であり大気圧よりも気圧が高い高気圧状態に維持された密閉空間を構成し得るカプセルと、大気中よりも高濃度の酸素を含有した高濃度酸素含有空気を前記カプセル内へ供給する酸素供給装置とを具備する酸素供給システムに用いることで、酸素供給システムの稼働中においてカプセル内の使用者に快適な環境を付与する酸素吹出ノズルを提供することを目的として、酸素吹出ノズルを、高濃度酸素含有空気を放出する複数の吹出孔を有する吹出部材と、該吹出部材及び酸素供給装置をチューブを介して接続するコネクタとを有するものとした「酸素吹出ノズル」が開示されている（特許文献１）。
【０００６】
上記の実用新案登録第３１０７６２５号公報に記載の考案によれば、酸素供給装置から供給された高濃度酸素含有空気が複数の吹出孔からカプセル内へ放出されることにより、カプセルの内壁の一箇所から高濃度酸素含有空気が放出される態様に比べて吹出孔から出る放出音を低くすることができる。
【０００７】
しかしながら、高濃度酸素含有空気が放出される際の吹出ノズルからの吹出音は、依然として残存しており使用者にとって耳障りなものとなることから、使用者がより上質なリラクゼーション状態を獲得し得るようにするためには、吹出ノズルからの吹出音をできる限り静粛にすることが望まれる。
【０００８】
【特許文献１】実用新案登録第３１０７６２５号公報
【考案の開示】
【考案が解決しようとする課題】
【０００９】
そこで、本考案は、酸素カプセル用吹出ノズルの孔構造に従来にはみられない改良を施し、吹出音の静粛化を実現可能にした酸素カプセル用吹出ノズルを提供することを目的とする。
【課題を解決するための手段】
【００１０】
上記課題を解決するために、請求項１に記載の考案は、使用者を収容可能であり大気圧よりも気圧が高い高気圧状態に維持された密閉空間を構成し空気及び高濃度酸素含有空気を人体に供給する酸素供給システムに用いられる酸素カプセル用吹出ノズルにおいて、酸素カプセル本体の側壁に設けられた供給口から空気及び高濃度酸素含有空気を酸素カプセル内に放出し得る複数の吹出孔を有する吹出部材を備え、前記吹出部材は硬質部材の表面に軟質部材を覆設して構成し、前記吹出孔は前記硬質部材からなる大径の内側孔と前記軟質部材からなる小径の外側孔とを重ね合わせた２段式孔構造からなり、前記吹出孔から放出される空気及び高濃度酸素含有空気の吹出音を静粛にすることを特徴とする。
【００１１】
また、請求項２に記載の考案は、使用者を収容可能であり大気圧よりも気圧が高い高気圧状態に維持された密閉空間を構成し空気及び高濃度酸素含有空気を人体に供給する酸素供給システムに用いられる酸素カプセル用吹出ノズルにおいて、酸素カプセル本体の側壁に設けられた排出口から酸素カプセル内の空気を酸素カプセル外に放出し得る複数の吹出孔を有する吹出部材を備え、前記吹出部材は硬質部材の表面に軟質部材を覆設して構成し、前記吹出孔は前記硬質部材からなる大径の内側孔と前記軟質部材からなる小径の外側孔とを重ね合わせた２段式孔構造からなり、前記吹出孔から放出される酸素カプセル内の空気の吹出音を静粛にすることを特徴とする。
【００１２】
また、請求項３に記載の考案について、請求項１又は請求項２に記載の前記吹出部材は硬質パイプ部材の表面に薄手の軟質シート部材を覆設して構成し、前記硬質パイプ部材に直径３〜５ｍｍの内側孔を設けると共に前記軟質シート部材の前記内側孔に対向する位置に直径０．６ｍｍ〜１．０ｍｍの外側孔を設けて２段式孔構造からなる前記吹出孔を形成したことを特徴とする。
【００１３】
また、請求項４に記載の考案について、請求項３に記載の前記吹出孔の配置は、前記硬質パイプ部材の周方向に二列に分散し、各列における前記吹出孔間の間隔を６〜８ｍｍに設定すると共に前記硬質パイプ部材の長手方向における前記吹出孔間の間隔を８〜１０ｍｍとなるように設定したことを特徴とする。
【考案の効果】
【００１４】
以上のように、本考案にかかる酸素カプセル用吹出ノズルは、酸素カプセルの側壁に設けられた供給口及び排出口から空気及び高濃度酸素含有空気を酸素カプセル内に放出し得る及び酸素カプセル外に放出し得る複数の吹出孔を有する吹出部材を備え、吹出部材は硬質部材の表面に軟質部材を覆設して構成し、吹出孔は硬質部材からなる大径の内側孔と軟質部材からなる小径の外側孔とを重ね合わせた２段式孔構造から構成することにより、吹出孔から放出される際に空気及び高濃度酸素含有空気との摩擦が減少して吹出音が静粛なものとなる。
【考案を実施するための最良の形態】
【００１５】
以下、本考案の実施の一形態について、図面を参酌しながら説明する。なお、本考案にかかる酸素カプセル用吹出ノズルは、以下の実施例に限定されるものではなく、使用状況によって適宜変更することができる。
【００１６】
図１は酸素供給システムの一例を示す説明図、図２は図１の動作説明である。
酸素供給システムは、酸素カプセル本体１０と、酸素供給装置５０とを連結パイプ５１を介して接続することによって主に構成されている。本実施形態では酸素カプセル本体１０に後述する吹出部材２０、３０を備えた酸素カプセル用吹出ノズルを装着した態様について説明する。
【００１７】
先ず、酸素供給システムの概要について説明する。酸素カプセル本体１０は、大気圧よりも気圧が高い高気圧状態に維持された密閉空間を構成し得るものであり、人が１、２人程度入れる位の大きさの円筒形状をした、例えば内側がシーリングされた布材で構成されたものであり、酸素カプセル本体１０の側壁に供給口１１及び排出口１２を設けている。また、上側中央には使用者の出入り口として、長手方向に延びるファスナーを設けている。また側壁に設けられた供給口１１には連結パイプ５１が外側から接続され、吹出部材２０からカプセル内に酸素供給装置５０からの空気及び高濃度酸素含有空気を導入し得る状態としていると共に、側壁に設けられた排出口１２にはカプセル内の気圧が所定気圧以上となった場合にカプセル内の気圧を減圧し得る調節弁（図示省略）及び吹出部材３０が取り付けられている。マット４３は、床面に敷設して酸素カプセル本体１０の底面を支持するものであり、使用者が快適にカプセル内で横になることができるように、例えば弾力性を有するウレタンを主体として構成している。
【００１８】
酸素供給装置５０は、例えば、大気中よりも高濃度の酸素を含有した高濃度酸素含有空気をカプセル内へ供給するものであり、酸素発生部とポンプ部とモニタ部とを有している。酸素発生部は、空気中から酸素を抽出して当該酸素をポンプ部へ送出するものである。ポンプ部は通常の空気と酸素発生部からの酸素とを混合させ高濃度酸素含有空気とした状態でカプセル側へ所定の流速で送出すものである。モニタ部は、ポンプ部から送出される高濃度酸素含有空気の酸素濃度と流速をモニタすると共に通常の空気と混合する酸素量と、高濃度酸素含有空気の流速とを制御するものである。
【００１９】
上述した酸素カプセル本体１０と酸素供給装置５０は、連結パイプ５１を介して接続されている。空気及び高濃度酸素含有空気が連結パイプ５１を通じて吹出ノズル先端部の吹出部材２０からカプセル内へ供給されると共に、排出口１２に取り付けられた吹出ノズル先端部の吹出部材３０からカプセル内の空気をカプセルの外へ適宜排出することにより、酸素供給システムの稼働中におけるカプセル内の気圧を例えば約１．２２気圧に維持するように構成している。
【００２０】
本実施形態では、酸素カプセル用吹出ノズルにおいて、酸素カプセル本体１０の側壁に設けられた供給口１１から空気及び高濃度酸素含有空気をカプセル内に放出し得る複数の吹出孔を有する吹出部材２０と、排出口１２からカプセル内の空気をカプセル外に放出し得る複数の吹出孔を有する吹出部材３０を備え、後述するように吹出孔は硬質部材からなる大径の内側孔と軟質部材からなる小径の外側孔とを重ね合わせた２段式孔構造から構成して吹出音を静粛なものとすることにより、カプセル内の使用者の快適さを向上させて、より上質なリラクゼーション状態を得ることを可能としている。
【００２１】
以下、酸素カプセル用吹出ノズルの先端部に備えられた吹出部材２０、３０の具体的な構成について説明する。
【００２２】
図３及び図４に示すように、吹出部材２０は、硬質パイプ部材２３の表面に薄手の軟質シート部材２１を覆設して構成される。
硬質パイプ部材２３の材質としては、合成樹脂、金属、ゴム等の様々な材質を採用することができるが、強度確保と結露防止の観点から硬質塩化ビニル管等の硬質樹脂製パイプ部材を用いるのが最適である。
軟質シート部材２１の材質としては、合成樹脂、ゴム、紙等の様々な材質を採用することができるが、加工性と耐性の観点から樹脂熱収縮チューブ等の軟質樹脂製シート部材を用いるのが最適である。後述する吹出音を静粛なものとするためには、軟質シート部材２１の厚みをできる限り薄くした方が好ましい。
吹出部材２０は、例えば、薄手の樹脂熱収縮チューブ内に硬質塩化ビニル管を挿通した状態で加熱収縮させることにより、硬質塩化ビニル管の外周表面に樹脂熱収縮チューブを密着させて形成される。
【００２３】
吹出部材２０、３０の吹出孔の構成について説明する。
図３及び図４に示すように、吹出部材２０、３０には２段式孔構造（外側孔２２、内側孔２４）からなる複数の吹出孔が形成されている。
硬質パイプ部材２３には直径（図４の記号ｂ）３〜５ｍｍの内側孔２４が設けられ、その内側孔２４に対向する薄手の軟質シート部材２１には直径（図４の記号ａ）０．６ｍｍ〜１．０ｍｍの外側孔２２が設けられる。これにより、内側孔２４・外側孔２２から放出される際に空気及び高濃度酸素含有空気との摩擦が減少して吹出音が静粛なものとなる。
外側孔２２の大きさについては、直径０．６ｍｍより小さくすると、より小さい方が吹出音が大きく聞こえるようになる。一方、直径１．０ｍｍより大きくすると、より大きい方が吹き出す空気の勢いが弱くなりカプセル内を対流させる機能が十分でなくなる。したがって、外側孔２２の直径（図４の記号ａ）は、０．６ｍｍ〜１．０ｍｍの範囲内に設定するのが最適である。
【００２４】
吹出部材２０、３０の吹出孔の配置の一例について説明する。
図３及び図４に示すように、吹出部材２０の吹出孔の配置は、硬質パイプ部材２３の周方向に二列に分散し、上列側に１０個、下列側に１０個形成したものとなっている。また、各列における吹出孔間の間隔を６〜８ｍｍに設定すると共に、硬質パイプ部材２３の長手方向における吹出孔間の間隔を８〜１０ｍｍとなるように設定するのが好ましい。ただし、吹出部材２０の吹出孔の配置については、使用状況に応じて適宜変更することができる。
【００２５】
以上のように、酸素カプセル本体１０の側壁に設けられた供給口１１及び排出口１２から空気及び高濃度酸素含有空気を酸素カプセルの内外に放出し得る２段式孔構造（外側孔２２、内側孔２４）からなる複数の吹出孔を有する吹出部材２０、３０を備えることにより、酸素カプセルの内外の両方において吹出音の静粛化を図ることが可能になる。
【図面の簡単な説明】
【００２６】
【図１】酸素供給システムの一例を示す説明図である。
【図２】図１の動作説明である。
【図３】本考案にかかる酸素カプセル用吹出ノズルの一例を示す斜視図である。
【図４】図３に示す酸素カプセル用吹出ノズルの孔構造を示す断面図である。
【符号の説明】
【００２７】
１０  酸素カプセル本体
１１  供給口
１２  排出口
２０  吹出部材  
２１  軟質シート部材
２２  外側孔
２３  硬質パイプ部材
２４  内側孔
３０  吹出部材
４０  マット
５０  酸素供給装置
５１  連結パイプ
【図１】
0003143164.tif 000003
【図２】
0003143164.tif 000004
【図３】
0003143164.tif 000005
【図４】
0003143164.tif 000006